(57)【要約】【課題】異なる形態を採ることができて、ブラインドの意匠を変化させることができるブラインド用カバーを提供する。【解決手段】壁面等の固定面に取付けられるベース１２と、ベース１２の一端部から垂直に起立するアーム１４とから成るフレーム１８に生地２０を取付けることにより構成され、ベース１２の一端部が他端部よりも上方に位置するようにフレーム１８が配置されるときには、アーム１４との連結部側であるベース１２の一端部からアーム１４の先端部に向かってアーム１４に沿って生地２０が取付可能とされ水平型のカバーとなり、ベース１２の他端部が一端部よりも上方に位置するようにフレーム１８が配置されるときには、ベース１２の他端部からアーム１４の先端部に向かって生地２０が取付可能とされ傾斜型のカバーとなる。【選択図】図１
2010261226.tif 000002
【特許請求の範囲】
【請求項１】
日射遮蔽体（３４）の上方及び上部前面を覆うブラインド用カバーであって、
壁面等の固定面（Ｓ）に取付けられ一端部と他端部とを有するベース（１２）と、ベース（１２）の一端部から垂直に起立するアーム（１４）とから成るフレーム（１８）に生地（２０）を取付けることにより構成され、
ベース（１２）の一端部が他端部よりも上方に位置するようにフレーム（１８）が配置されるときには、ベース（１２）の一端部からアーム（１４）の先端部に向かってアーム（１４）に沿って生地（２０）が取付可能とされ、ベース（１２）の他端部が一端部よりも上方に位置するようにフレーム（１８）が配置されるときには、ベース（１２）の他端部からアーム（１４）の先端部に向かって生地（２０）が取付可能とされることを特徴とするブラインド用カバー。
【請求項２】
アーム（１４）はベース（１２）からの起立長さが伸縮可能であり、ベース（１２）の一端部が他端部よりも上方に位置するようにフレーム（１８）が配置されるときには、アーム（１４）は収縮した状態とされ、ベース（１２）の他端部が一端部よりも上方に位置するようにフレーム（１８）が配置されるときには、アーム（１４）は伸長した状態とされることを特徴とする請求項１記載のブラインド用カバー。
【請求項３】
ベース（１２）は日射遮蔽体（３４）を着脱可能に取付けるブラケット（３２）を備えることを特徴とする請求項１又は２記載のブラインド用カバー。
【発明の詳細な説明】
【技術分野】
【０００１】
本発明は、ブラインドの日射遮蔽体の上方と上部前面とを覆うブラインド用カバーに関する。
【背景技術】
【０００２】
従来、この種のブラインド用カバーとしては、特許文献１ないし３に記載されたものが知られている。
【０００３】
特許文献１に示されるカバー組立体は、巻取パイプの上面から前面に渡る部分の必要な範囲を覆うように長尺板状のロールカバーが設けられ、その両端を支持する一対のサイドカバーが、巻取パイプを回転可能に軸支する一対のサイドプレートに対して嵌挿して固定されている。
【０００４】
また、特許文献２に示される庇兼用シャッターボックスでは、シャッターが収納されたシャッターボックスの上面に、シャッターボックスの上面を被覆し傾斜して突出した庇としてのカバーが固定されている。
【０００５】
また、特許文献３に示される化粧カバーは、壁面等の固定取付面に固定される化粧カバー取付用ブラケットの水平支持片に固定されている。
【先行技術文献】
【特許文献】
【０００６】
【特許文献１】特許第２６６１８３１号公報
【特許文献２】実開平３−１２５１９６号公報
【特許文献３】特開２００６−２９９５３１号公報
【発明の概要】
【発明が解決しようとする課題】
【０００７】
しかしながら、上記いずれの特許文献に記載されたものも、カバー及びカバーを支持する部材が一定の形態に固定されており、ブラインドの意匠に変化を持たせることができない構造であるという問題がある。
【０００８】
本発明はかかる課題に鑑みなされたもので、異なる形態を採ることができて、ブラインドの意匠を変化させることができるブラインド用カバーを提供することをその目的とする。
【課題を解決するための手段】
【０００９】
前述した目的を達成するために、請求項１記載の発明は、日射遮蔽体の上方及び上部前面を覆うブラインド用カバーであって、
壁面等の固定面に取付けられ一端部と他端部とを有するベースと、ベースの一端部から垂直に起立するアームとから成るフレームに生地を取付けることにより構成され、
ベースの一端部が他端部よりも上方に位置するようにフレームが配置されるときには、ベースの一端部からアームの先端部に向かってアームに沿って生地が取付可能とされ、ベースの他端部が一端部よりも上方に位置するようにフレームが配置されるときには、ベースの他端部からアームの先端部に向かって生地が取付可能とされることを特徴とする。
【００１０】
請求項２記載の発明は、請求項１記載のブラインド用カバーにおいて、アームはベースからの起立長さが伸縮可能であり、ベースの一端部が他端部よりも上方に位置するようにフレームが配置されるときには、アームは収縮した状態とされ、ベースの他端部が一端部よりも上方に位置するようにフレームが配置されるときには、アームは伸長した状態とされることを特徴とする。
【００１１】
請求項３記載の発明は、請求項１又は２記載のブラインド用カバーにおいて、ベースは日射遮蔽体を着脱可能に取付けるブラケットを備えることを特徴とする。
【発明の効果】
【００１２】
本発明によれば、ベースの一端部が他端部よりも上方に位置するようにフレームを配置したときには、生地が水平に展開された水平型のカバーとして使用でき、ベースの他端部が一端部よりも上方に位置するようにフレームを配置したときには、生地が傾斜して展開された傾斜型のカバーとして使用できる。
【００１３】
こうして、共通のフレームを用いてブラインド用カバーの２つの異なる形態を採ることができるため、ブラインドの２つの異なる意匠を実現することができる。
【００１４】
請求項２記載の発明によれば、アームが伸縮可能であるため、傾斜型のカバーとして使用する場合にアームを伸長することにより、生地の傾斜角度を緩くすることができ、生地と日射遮蔽体との干渉を防止することができる。
【００１５】
請求項３記載の発明によれば、フレームを壁面等の固定面に取付けるだけで、日射遮蔽体も一緒に固定面に取り付けられるため、固定面に対する作業を少なくして、作業性を向上させることができる。
【図面の簡単な説明】
【００１６】
【図１】本発明の実施形態に係るブラインド用カバーが第１の組付け形態にあるときのブラインドの斜視図である。
【図２】図１のブラインドを固定面に取り付けた状態を示す側面図である。
【図３】第１の組付け形態にあるブラインド用カバーの斜視図である。
【図４】本発明の実施形態に係るブラインド用カバーが第２の組付け形態にあるときのブラインドの斜視図である。
【図５】図４のブラインドを固定面に取り付けた状態を示す側面図である。
【図６】第２の組付け形態にあるブラインド用カバーの斜視図である。
【発明を実施するための形態】
【００１７】
以下、図面を用いて本発明の第１の実施形態を説明する。
図１〜図３は、本発明の実施形態に係るブラインド用カバーが第１の組付け形態にあるときの状態を示し、図４〜図６は、その第２の組付け形態にあるときの状態を示している。
【００１８】
ブラインド用カバー１０は、壁面、窓枠等の固定面に取付けられるベース１２と、ベース１２の上下方向一端部から垂直に起立するアーム１４と、ベース１２とアーム１４との連結を補強する補強斜材１６と、から成るフレーム１８に生地２０を取付けることにより構成される。
【００１９】
本明細書及び特許請求の範囲において、ベース１２の一端部と他端部とは、ベース１２の中で上下方向に異なる部位を表すものとし、必ずしもベース１２の末端を表すものとは限らない。
【００２０】
ベース１２は、板状の部材であり、四隅に取付孔１２ａが形成されており、取付孔１２ａを挿通する図示していない取付ネジにより固定面に取付けられる。また、ベース１２の一端部と他端部の間の上下方向中央部には遮蔽体取付部１２ｂである図示しない取付孔が複数箇所離間して設けられている。遮蔽体取付部１２ｂには、該取付孔を用いて取付用ブラケット３２が取付けられ、取付用ブラケット３２により日射遮蔽体３４を着脱自在に取付け可能である。日射遮蔽体３４としては、ブラインドが設定される開口を遮蔽する遮蔽材３６を有する任意のものとすることができ、遮蔽材の昇降または左右移動動作、回転動作といった動作を、操作部を操作してまたは遮蔽材を直接操作しての手動または電動によって行うものとすることができ、適宜、昇降機構部、開閉機構部、または回転機構部を収容するヘッド部を上部に有することができる。
【００２１】
アーム１４は、基端がベース１２の一端部の両角部にそれぞれ連結される一対の側枠基部１４ａと、側枠基部１４ａ内に配設され、図６中矢印で示すように、側枠基部１４ａの先端から引き出されたり側枠基部１４ａ内に押し込まれたりすることによりアーム１４のベース１２からの起立長さをテレスコピック式に伸縮させることが可能となった伸縮部１４ｂと、両伸縮部１４ｂの先端同士を連結するようにアーム１４の前面を構成する前枠部１４ｃと、からなり、略コの字を形成する枠体として構成される。アーム１４が伸縮することで、ベース１２と前枠部１４ｃとの間隔が変化する。伸縮部１４ｂの側枠基部１４ａ内への相対移動は、摩擦係合または凹凸係合等の任意の係合によって規制され、アーム１４に作用する通常の外力に対しては伸縮動作が禁止される。
【００２２】
補強斜材１６は、ベース１２とアーム１４の側枠基部１４ａとの間を連結することにより、ベース１２に対して片持ち支持されるアーム１４の支持を補助する。
【００２３】
ベース１２の一端部と他端部とアーム１４の前枠部１４ｃの前面にはそれぞれ面ファスナ２２、２４、２６が固着されており、生地２０に固着されている面ファスナ２８及び３０とそれぞれ着脱可能に接合可能となっている。
【００２４】
以上のように構成されるブラインド用カバー１０を第１の組付け形態とする場合には、ベース１２の一端部が他端部よりも上方になるように、換言すれば、ベース１２の遮蔽体取付部１２ｂよりも上方にアーム１４が位置するようにフレーム１８を配置し、ベース１２の取付孔１２ａを介して取付ネジにより固定面Ｓにベース１２を取付ける。これにより、フレーム１８が固定面に固定される。次に、遮蔽体取付部１２ｂに取付けられた取付用ブラケット３２によって日射遮蔽体３４を取付ける。そして、ベース１２の一端部にある一方の面ファスナ２２と生地２０の端部の面ファスナ２８とを接合させる。この後、アーム１４及びアーム１４で囲まれた空間の上面が生地２０で覆われるように生地２０を緊張させながら張り、アーム１４の前面枠部１４ｃの面ファスナ２６と生地２０の面ファスナ３０とを接合させ、残りの生地２０を前面枠部１４ｃから下方に垂らす。これにより、生地２０は、日射遮蔽体３４の上方と上部前面とを覆い、且つ生地２０が水平に展開された水平型のカバーとなる。なお、生地２０に対する面ファスナ３０の取付位置は、この組付け形態に合わせて、あらかじめアーム１４の寸法に合わせて調整されているとよい。
【００２５】
こうして、日射遮蔽体３４の上部をブラインド用カバーによって覆い隠すことができる。
【００２６】
次に、ブラインド用カバー１０を第２の組付け形態とする場合には、第１の組付け形態とフレーム１８の上下を逆さまにし、ベース１２の他端部が一端部よりも上方になるように、換言すれば、ベース１２の遮蔽体取付部１２ｂよりも下方にアーム１４が位置するようにフレーム１８を配置し、ベース１２の取付孔１２ａを介して取付ネジにより固定面Ｓにベース１２を取付ける。これにより、フレーム１８が固定面に固定される。次に、遮蔽体取付部１２ｂに取付けられた取付用ブラケット３２によって日射遮蔽体３４を取付ける。そして、図６中矢印で示すようにベース１２の他端部にある他方の面ファスナ２４と生地２０の端部の面ファスナ２８とを接合させる。この後、アーム１４の前面枠部１４ｃに向かって生地２０を傾斜させながらアーム１４の上方が覆われるように生地２０を緊張させながら張り、アーム１４の前面枠部１４ｃの面ファスナ２６と生地２０の面ファスナ３０とを接合させ、残りの生地２０を前面枠部１４ｃから下方に垂らす。これにより、生地２０は、日射遮蔽体３４の上方と上部前面とを覆い、且つ生地２０が傾斜して展開された傾斜型のカバーとなる。なお、生地２０に対する面ファスナ３０の取付位置は、この組付け形態に合わせて、あらかじめアーム１４の寸法に合わせて調整されているとよい。
【００２７】
同じ日射遮蔽体３４を対象として第１の組付け形態と第２の組付け形態との間で変更する場合、第１の組付け形態にしたときには、伸縮部１４ｂを側枠基部１４ａに押し込みアーム１４を適宜収縮させて、ベース１２とアーム１４の前面枠部１４ｃとの間隔を狭くして、アーム１４が突出し過ぎないように日射遮蔽体３４とのバランスを考慮するとよく、第２の組付け形態にしたときには、伸縮部１４ｂを側枠基部１４ａから引き出しアーム１４を適宜伸長させて、ベース１２とアーム１４の前面枠部１４ｃとの間隔を広げて、生地２０の傾斜角度を緩くし、日射遮蔽体３４の上端部と生地２０とが干渉しないようにするとよい。
【００２８】
２つの組付け形態の間で共通の生地２０を使用する場合には、この２つの組付け形態にそれぞれ対応した位置に生地２０の面ファスナ３０を設けておくとよい。または、ベース１２の一端部及び他端部と生地２０の端部にのみ面ファスナ２２、２４、２８を設け、アーム１４の前面枠部１４ｃには滑り止めを設けて、生地２０と摩擦係合させるようにしてもよい。または、組付け形態に応じて生地２０を交換するようにしてもよい。
【００２９】
このように、生地２０のフレーム１８への固定を面ファスナによって行う場合には、生地２０をフレーム１８から容易に着脱することができるので、生地２０をフレーム１８から手軽に取外して、洗ったり、交換したりすることが可能である。
【００３０】
また、大型の日射遮蔽体に適用する場合には、伸縮部１４ｂを側枠基部１４ａから引き出すとよく、小型の日射遮蔽体に適用する場合には、伸縮部１４ｂを側枠基部１４ａに押し込むとよく、適宜、伸縮部１４ｂを移動させて調整可能としてもよい。
【００３１】
以上のように、第１の組付け形態及び第２の組付け形態ともにフレーム１８の形状は同じであるが、ベース１２の一端部が他端部よりも上方に位置するようにフレーム１８を配置することにより、生地２０が水平に展開された水平型のカバーとし、ベース１２の他端部が一端部よりも上方に位置するようにフレーム１８を配置することにより、生地２０が傾斜して展開された傾斜型のカバーとすることができ、固定面に対する配置方向を変えるだけで、２つの異なる意匠を実現することができる。
【００３２】
また、取付用ブラケットがフレーム１８に取付けられているため、フレーム１８とは別に日射遮蔽体を固定面に固定する必要がない。このため、固定面に対する作業が少なくなり、ブラインド用カバー１０と日射遮蔽体３４との相対位置決めを簡単に行うことができ、作業性を向上させることができる。但し、ベース１２を取付用ブラケットが取付可能な板状の部材で構成する代わりに、ベース１２を枠状の部材で構成することもでき、この場合には、ベース１２の内側で取付用ブラケット３２を壁面等の固定面に直接取り付けるようにしてもよい。
【符号の説明】
【００３３】
１０  ブラインド用カバー
１２  ベース
１４  アーム
１８  フレーム
２０  生地
３２  ブラケット
３４  日射遮蔽体
Ｓ  固定面
【図１】
2010261226.tif 000003
【図２】
2010261226.tif 000004
【図３】
2010261226.tif 000005
【図４】
2010261226.tif 000006
【図５】
2010261226.tif 000007
【図６】
2010261226.tif 000008